(57)【要約】【課題】  本発明は、傘の置き忘れを防止でき、しかも、多数の傘が置かれる場所であっても自己の傘を容易且つ迅速に発見することのできる傘の置き忘れ防止具を提供することを課題とする。【解決手段】  本発明は、傘のハンドルに対して取り付けられる防止具本体と、該防止具本体に着脱可能で且つ傘の使用者の身体の一部に装着可能な被装着体であって、傘を置いたことを使用者に想起させる被装着体とを備え、防止具本体及び被装着体には、互いに関連性のある視認可能な情報が付与されていることを特徴とする。【選択図】図１
2014039739.tif 000002
【特許請求の範囲】
【請求項１】
傘のハンドルに対して取り付けられる防止具本体と、該防止具本体に着脱可能で且つ傘の使用者の身体の一部に装着可能な被装着体であって、傘を置いたことを使用者に想起させる被装着体とを備え、防止具本体及び被装着体には、互いに関連性のある視認可能な情報が付与されていることを特徴とする傘の置き忘れ防止具。
【請求項２】
前記防止具本体は、ハンドルの外周を包囲可能な環状の装着部であって、内周がハンドルの外周に圧接可能に形成された装着部を備え、前記被装着体は、装着部の外周に巻き付け可能で、使用者の指にも巻き付け可能な帯状体であり、装着部の外周及び被装着体の一方の面に前記情報が付与されている請求項１に記載の傘の置き忘れ防止具。
【請求項３】
前記防止具本体は、装着部の周方向に伸縮可能で且つ径方向に変形可能に形成されている請求項２に記載の傘の置き忘れ防止具。
【請求項４】
前記防止具本体は、装着部の周方向の一箇所で分断され、該分断によって形成された一対の分断面が接離可能となるように径方向に変形可能に形成されている請求項２に記載の傘の置き忘れ防止具。
【請求項５】
前記防止具本体は、装着部の周方向に分割された少なくとも２つの分割体と、隣り合う分割体同士を連結する連結部材とを備えている請求項２に記載の傘の置き忘れ防止具。
【請求項６】
前記防止具本体は、装着部の軸心方向に被装着体の幅寸法に対応した間隔をあけて配置された一対の鍔部であって、それぞれが装着部の外周面から装着部の径方向外方に突出した一対の鍔部を備える請求項２乃至５の何れか１項に記載の傘の置き忘れ防止具。
【請求項７】
前記被装着体は、両面のうちの何れか一方の面に雄雌一対の面ファスナーのうちの何れか一方を有するとともに、両面のうちの何れか他方の面における少なくとも長手方向の一端部に、雄雌一対の面ファスナーのうちの何れか他方を有している請求項２乃至６の何れか１項に記載の傘の置き忘れ防止具。
【請求項８】
前記被装着体は、一方の面を防止具本体の装着部の外周面に向けた状態で該装着部に巻き付け可能に構成され、該被装着体の他方の面が防止具本体の外周の色と同色又は同系色にされている請求項２乃至７の何れか１項に記載の傘の置き忘れ防止具。
【請求項９】
前記情報は、色、文字、及び記号の少なくとも何れか一つで構成される請求項１乃至８の何れか１項に記載の傘の置き忘れ防止具。
【発明の詳細な説明】
【技術分野】
【０００１】
本発明は、出先で傘の置き忘れを防止するための傘の置き忘れ防止具に関する。
【背景技術】
【０００２】
従来から、傘の置き忘れを防止するための傘の置き忘れ防止具として、傘置き等に傘を置いたときに、使用者の身体の一部（例えば、使用者の視界に入りやすい手）に装着するようにしたものが提供されている（例えば、特許文献１、２参照）。
【０００３】
かかる傘の置き忘れ防止具は、使用者の視界に入ることで、傘置き等に傘を置いたこと（傘を持参したこと）を想起でき、傘の置き忘れを防止できるとしている。
【先行技術文献】
【特許文献】
【０００４】
【特許文献１】特開２０００−７９０４７号公報
【特許文献２】特開２００１−３５３０１１号公報
【発明の概要】
【発明が解決しようとする課題】
【０００５】
ところで、飲食店や公共施設等の多数の人の集まる場所では、多数の傘が置かれる。また、大量生産された同種の傘が流通しているため、同種の傘が同一箇所に置かれることもしばしばある。そのため、上述の如く、傘の置き忘れ防止具によって、傘置き等に傘を置いたことを想起できたとしても、傘置き等にある多数の傘から自己の傘を見つけ出すことが困難であり、また、これが原因で他人の傘を自己の傘として取り違えてしまうことがある。特に、同一箇所に同種の傘が置かれている場合、傘の取り違えが顕著になる。
【０００６】
そこで、本発明は、斯かる実情に鑑み、傘の置き忘れを防止でき、しかも、多数の傘が置かれる場所であっても自己の傘を容易且つ迅速に発見することのできる傘の置き忘れ防止具を提供することを課題とする。
【課題を解決するための手段】
【０００７】
本発明に係る傘の置き忘れ防止具は、傘のハンドルに対して取り付けられる防止具本体と、該防止具本体に着脱可能で且つ傘の使用者の身体の一部に装着可能な被装着体であって、傘を置いたことを使用者に想起させる被装着体とを備え、防止具本体及び被装着体には、互いに関連性のある視認可能な情報が付与されていることを特徴とする。
【０００８】
上記構成の傘の置き忘れ防止具によれば、防止具本体を傘のハンドルに取り付けた状態で、該防止具本体に被装着体を取り付けておけば、傘を持ち運ぶときや傘を使用するときに、その傘と一緒に携行することができる。そして、出先で傘を置くときに、防止具本体から取り外された被装着体が使用者の身体の一部に装着されることで、使用者が被装着体を視認したとき（被装着体が使用者の視界に入ったとき）に、傘を置いたこと（傘を持参したこと）を想起させ、傘の置き場所に向かうことを意識させることができる。
【０００９】
そして、傘の状態に関係なく常時露出するハンドルに防止具本体が取り付けられるため、傘の置き場所に傘を取りに来た使用者は、防止具本体を目安に傘を探し出し、防止具本体と被装着体との情報の関連性から、防止具本体の取り付けられた傘が自己の傘であるか否かを確認することができる。そして、被装着体を身体から取り外して自己の傘のハンドルに取り付けられた防止具本体に被装着体を取り付けることで、傘を持ち運ぶときや傘を使用するときに、その傘と一緒に携行することができる。
【００１０】
本発明に係る一態様として、前記防止具本体は、ハンドルの外周を包囲可能な環状の装着部であって、内周がハンドルの外周に圧接可能に形成された装着部を備え、前記被装着体は、装着部の外周に巻き付け可能で、使用者の指にも巻き付け可能な帯状体であり、装着部の外周及び被装着体の一方の面に前記情報が付与されていてもよい。このように防止具本体の内周が傘のハンドルの外周に圧接すれば、防止具本体が傘のハンドルに対して定位置で固定される。従って、傘を持ち運ぶときや使用するときに、防止具本体が使用者の把持位置に位置ずれしてしまうことを防止できる。また、被装着体が装着部の外周に巻き付け可能で、使用者の指にも巻き付け可能な帯状体であるため、防止具本体に対する取り付けや使用者に対する装着が簡単である。そして、装着部の外周面及び被装着体の一方の面は、使用者の視界に入り易い領域であるため、これらに情報が付与されることで、使用者が情報を確実に認識できる。
【００１１】
この場合、前記防止具本体は、装着部の周方向に伸縮可能で且つ径方向に変形可能に形成されてもよい。このようにすれば、防止具本体がハンドルの外周形状に即して変形し、また、ハンドルの外周を包囲した防止具本体が自身の伸縮力でハンドルを締め付けることができる。従って、種々のサイズや形状のハンドルに対して防止具本体を容易に取り付けることができる。
【００１２】
また、前記防止具本体は、装着部の周方向の一箇所で分断され、該分断によって形成された一対の分断面が接離可能となるように径方向に変形可能に形成されてもよい。このようにすれば、防止具本体をハンドルに取り付けるときに、防止具本体（装着部）を径方向に変形させることで、一対の分断面を離間させ、分断面間にハンドルを通過させることができる。そして、分断面間をハンドルが通過すると防止具本体（装着部）が復元するため、装着部をハンドルの外周に圧接させた状態で容易に取り付けることができる。
【００１３】
また、前記防止具本体は、装着部の周方向に分割された少なくとも２つの分割体と、隣り合う分割体同士を連結する連結部材とを備えてもよい。このようにすれば、少なくとも２つの分割体がハンドルの周囲に配置された状態で連結部材によって連結されることで、これらが一体的になってハンドルに固定された防止具本体になる。従って、傘を持ち運ぶときや使用するときに、防止具本体が不用意に移動することを防止できる。
【００１４】
これら場合、前記防止具本体は、装着部の軸心方向に被装着体の幅寸法に対応した間隔をあけて配置された一対の鍔部であって、それぞれが装着部の外周面から装着部の径方向外方に突出した一対の鍔部を備えるようにしてもよい。このようにすれば、帯状体である被装着体を装着部の周囲に巻き付けるときに、一対の鍔部によって被装着体の位置ずれ（移動）が規制される。従って、被装着体を体裁よく防止具本体に取り付けることができる。
【００１５】
本発明の他態様として、前記被装着体は、両面のうちの何れか一方の面に雄雌一対の面ファスナーのうちの何れか一方を有するとともに、両面のうちの何れか他方の面における少なくとも長手方向の一端部に、雄雌一対の面ファスナーのうちの何れか他方を有していることが好ましい。このようにすれば、被装着体を防止具本体や使用者の身体の一部に巻き付けることで、両面にある雄雌一対の面ファスナーが互いに噛合する。従って、簡単な作業で、被装着体を防止具本体や使用者の身体の一部に巻き付けた状態で維持させることができる。
【００１６】
本発明の別の態様として、前記被装着体は、一方の面を防止具本体の装着部の外周面に向けた状態で該装着部に巻き付け可能に構成され、該被装着体の他方の面が防止具本体の外周の色と同色又は同系色にされていてもよい。このようにすれば、防止具本体に被装着体を巻き付けた状態で、防止具本体及び被装着体のそれぞれの情報が、被装着体に覆い隠さ、被装着体と防止具本体との色目の違いが判りにくくなる。従って、常時露出するハンドルに対して取り付けられても、体裁のよい状態となる。なお、この場合において、防止具本体は、ハンドルと同色又は同系色にされてもよい。このようにすれば、傘のハンドルと傘の置き忘れ防止具全体とが同色又は同系色になり、より体裁のよいものになる。
【００１７】
そして、前記情報は、色、文字、及び記号の少なくとも何れか一つで構成されてもよい。このようにすれば、情報（色、文字、記号、或いはこれらの組み合わせ）のパターンが多くなる。従って、多数の傘が一箇所に置かれても、各傘に取り付けられた傘の置き忘れ防止具（防止具本体）の情報が重複する可能性が格段に低くなり、他人の傘を自己の傘として取り違えてしまう可能性を低くできる。
【発明の効果】
【００１８】
本発明に係る傘の置き忘れ防止具によれば、傘の置き忘れを防止でき、しかも、多数の傘が置かれる場所であっても自己の傘を容易且つ迅速に発見することができるという優れた効果を奏し得る。
【図面の簡単な説明】
【００１９】
【図１】図１は、本発明の一実施形態に係る傘の置き忘れ防止具を傘に取り付けた状態の正面図である。
【図２】図２は、図１のＸ部の部分拡大図である。
【図３】図３は、同実施形態に係る傘の置き忘れ防止具における防止具本体の全体斜視図である。
【図４】図４は、同実施形態に係る傘の置き忘れ防止具における被装着体の全体斜視図である。
【図５】図５は、同実施形態に係る傘の置き忘れ防止具の全体斜視図であって、図３に示す防止具本体に図４に示す被装着体を取り付けた状態の斜視図である。
【図６】図６は、同実施形態に係る傘の置き忘れ防止具の防止具本体を傘に取り付けるときの状態断面図であって、図６Ａは、防止具本体（装着部及び鍔部）を径方向及び周方向に引き延ばして変形させて傘のハンドルの外周回りに配置した状態の概略断面図であり、図６Ｂは、ハンドル回りに配置された防止具本体（装着部及び鍔部）の変形を解除することで、防止具本体が自己の弾性で復元してハンドルに密接した状態の概略断面図である。
【図７】図７は、同実施形態に係る傘の置き忘れ防止具（防止具本体）を取り付けた多数の傘が傘立てに立てられた状態の正面図である。
【図８】図８は、同実施形態に係る傘の置き忘れ防止具の被装着体を使用者の身体の一部（指）に装着した状態の概要図である。
【図９】図９は、同実施形態に係る傘の置き忘れ防止具を異なる形態のハンドルに取り付けるとき及び取り付けたときの状態図であって、図９Ａは、ブロック状のハンドルに防止具本体を取り付けた状態の部分斜視図であり、図９Ｂは、ブロック状のハンドルに防止具本体を取り付けるときの防止具本体の変形状態を説明するための概念図である。
【図１０】図１０は、本発明の他実施形態に係る傘の置き忘れ防止具の分解斜視図であって、装着部の外周に凸部を有する防止具本体と、凸部を挿入する孔を有する被装着体とを備えた傘の置き忘れ防止具の分解斜視図である。
【図１１】図１１は、本発明の別の実施形態に係る傘の置き忘れ防止具における防止具本体の全体斜視図であって、周方向の一箇所が分断された防止具本体の全体斜視図である。
【図１２】図１２は、本発明のさらに別の実施形態に係る傘の置き忘れ防止具の説明図であって、図１２Ａは、防止具本体を傘のハンドルに取り付けた状態の正面図であり、図１２Ｂは、図１２ＡのＹ−Ｙ断面図である。
【発明を実施するための形態】
【００２０】
以下、本発明の一実施形態に係る傘の置き忘れ防止具（以下、単に防止具という）について、添付図面を参照しつつ説明する。本実施形態に係る防止具は、杖タイプの傘や、折り畳みタイプの傘等の各種タイプの傘を対象としたもので、図１及び図２に示す如く、傘ＡのハンドルＨに対して取り付けられる防止具本体２と、該防止具本体２に着脱可能で且つ傘Ａの使用者の身体の一部に装着可能な被装着体３であって、傘Ａを置いたことを使用者に想起させる被装着体３とを備える。そして、図３及び図４に示す如く、防止具本体２及び被装着体３のそれぞれには、互いに関連性のある視認可能な情報２０，３０が付与されている。
【００２１】
より具体的に説明する。防止具本体２は、図３に示す如く、ハンドルＨの外周を包囲可能な環状の装着部２１であって、内周がハンドルＨの外周に圧接可能に形成された装着部２１を備える。本実施形態において、防止具本体２は、装着部２１に加え、装着部２１の軸心方向に被装着体３の幅寸法に対応した間隔をあけて配置された一対の鍔部２２，２２であって、それぞれが装着部２１の外周面から装着部２１の径方向外方に突出した一対の鍔部２２，２２を備える。
【００２２】
防止具本体２は、周方向に伸縮可能で且つ径方向に変形可能に形成されている。すなわち、装着部２１及び鍔部２２，２２は、周方向に伸縮可能で且つ径方向に変形可能に形成される。本実施形態において、防止具本体２は、弾性を有する合成樹脂（例えば、シリコンゴム等の合成ゴム）で成型されており、その弾性によって伸縮性及び変形性が確保されている。
【００２３】
装着部２１には、上記情報２０が視認可能に付与されている。すなわち、外部に向けて露呈する装着部２１の外周には、被装着体３の情報３０と関連性のある情報２０が付与されている。防止具本体２に付与される情報２０は、色、文字、及び記号の少なくとも何れか一つで構成される。本実施形態に係る情報２０は、色、文字、及び記号の組み合わせで構成される。そして、本実施形態に係る防止具本体２は、上述の如く、鍔部２２，２２を備えるため、鍔部２２，２２がハンドルＨと同色又は同系色にされている。
【００２４】
被装着体３は、図４に示す如く、帯状に形成される。これにより、被装着体３は、図５に示す如く、装着部２１の外周に巻き付け可能に構成される。また、被装着体３は、使用者の身体の一部である指にも巻き付け可能に構成されている。そして、図４に示す如く、被装着体３の一方の面には、防止具本体２の情報２０と関連性のある情報３０が付与されている。被装着体３に付与される情報３０は、防止具本体２の情報と同様に、色、文字、及び記号の少なくとも何れか一つで構成される。本実施形態においては、防止具本体２の情報２０の形態に対応するように、被装着体３に付与される情報３０は、色、文字、及び記号の組み合わせで構成される。
【００２５】
例えば、図３に示す如く、防止具本体２の情報２０として、装着部２１の外周面の地色が白色にされ、その面に文字（図においては、「Ａ」と「１」）と記号（図においては、「−」）が付与される場合、図４に示す如く、被装着体３の情報３０として、被装着体３の一方の面の地色が白色にされ、その面に文字（図においては、「Ａ」と「１」）と記号（図においては、「−」）が付与される。これらの情報２０，３０は、印刷であってもよいし、シールによる貼り付け等、種々の方法で付与される。なお、防止具本体２の情報２０と、被装着体３の情報３０とは、互いに関連性があることを認識できれば、文字等の配置やサイズが完全同一である必要はない。
【００２６】
本実施形態において、被装着体３は、一方の面を防止具本体２の装着部２１の外周面に向けた状態で装着部２１に巻き付け可能に構成される。これに伴い、本実施形態に係る被装着体３の他方の面が防止具本体２の外周と同色又は同系色にされている。
【００２７】
被装着体３は、両面のうちの何れか一方の面に雄雌一対の面ファスナー３１，３２のうちの何れか一方を有している。また、被装着体３は、両面のうちの何れか他方の面における少なくとも長手方向の一端部に、雄雌一対の面ファスナー３１，３２のうちの何れか他方を有している。本実施形態に係る被装着体３は、一方の面全面に雄側の面ファスナー３１を有し、他方の面全面に雌側の面ファスナー３２を有している。すなわち、本実施形態に係る被装着体３は、雄雌一対の面ファスナー３１，３２が背中合わせで貼り合わされることで形成されている。
【００２８】
本実施形態において、被装着体３は、一方の面を防止具本体２の装着部２１の外周面に向けた状態（対向させた状態）で装着部２１に巻き付け可能に構成される。これに伴い、被装着体３の他方の面は、防止具本体２の外面（鍔部２２の外周）の色と同色又は同系色に着色されている。
【００２９】
本実施形態に係る防止具１は、以上の通りであり、図１及び図２に示す如く、防止具本体２が傘ＡのハンドルＨに取り付けられる。
【００３０】
より具体的に説明する。本実施形態に係る防止具１においては、防止具本体２をハンドルＨに取り付けるに当り、図６Ａに示す如く、防止具本体２の内径が常態よりも大きくなる（周長が長くなる）ように防止具本体２全体を変形させ、ハンドルＨの所望する取り付け位置の外周を包囲するようにした上で該防止具本体２の変形を解除する。本実施形態において、防止具本体２は、弾性を有する（伸縮可能及び変形可能である）ため、変形を解除することで、図６Ｂに示す如く、自己の弾性による復元で内径（周長）が常態に戻り、防止具本体２（装着部２１）の内周面がハンドルＨの外周面に圧接した状態になる。これにより、防止具本体２がハンドルＨに対する所望する位置（ハンドルＨの把持するときに邪魔にならない位置）に固定される。
【００３１】
そして、図１及び図２に示す如く、ハンドルＨに固定された防止具本体２（装着部２１）に対して被装着体３が取り付けられる。本実施形態において、防止具本体２に一対の鍔部２２，２２が設けられているため、帯状の被装着体３は、一対の鍔部２２，２２間にある装着部２１の外周に巻き付けられる。このとき、被装着体３は、防止具本体２の外周（鍔部２２，２２の外周）と同色に設定された他方の面を外側に向けて、装着部２１の外周に巻き付けられる。すなわち、被装着体３は、装着部２１に表示された情報２０と、自身の情報３０とが向き合うように配置された上で、装着部２１の外周に巻き付けられる。
【００３２】
本実施形態において、被装着体３の両面に雄雌一対の面ファスナー３１，３２が取り付けられているため、上述の如く、被装着体３を装着部２１の外周に対して一周を超えるように巻き付けることで、雄雌一対の面ファスナー３１，３２が対向して互いに噛合する。これにより、被装着体３は、装着部２１の情報２０と自身の情報３０とを覆い隠した状態で防止具本体２に取り付けられることになる。
【００３３】
そして、上述の如く、被装着体３は、他方の面を外側に向けているため、上述の如く、巻き付けられた状態で、鍔の外周面と被装着体３の他方の面が同方向に向く（外側に向く）結果、防止具１全体の外周が同色又は同系色で統一されることになる。特に、本実施形態において、防止具本体２の装着部２１以外の領域がハンドルＨと同色又は同系色であるため、傘Ａ（ハンドルＨ）に取り付けられた状態で、ハンドルＨと色彩的に統一がとれた状態になる。すなわち、ハンドルＨと異なる色を被装着体３に対して情報３０を付加しても、目立つことがなく体裁のよい状態で取り付けられることになる。従って、傘Ａを持ち運ぶときや傘Ａを使用するときに、その傘Ａと一緒に携行することができる。また、防止具１が粗雑感を出すことなく、傘Ａを通常通り使用することができる。
【００３４】
そして、図７に示す如く、出先で傘Ａを傘立てＡＨ等に置くときに、被装着体３が防止具本体２から取り外され、図８に示す如く、取り外された被装着体３は、使用者の身体の一部Ｃに装着される。すなわち、使用者の指Ｃに被装着体３が巻き付けられる。本実施形態において、上述の如く、被装着体３の両面のそれぞれの全面に雄雌一対の面ファスナー３１，３２が取り付けられているため、被装着体３の何れか一方の面を外側にしても、被装着体３を指Ｃに一周以上巻き付けことで、雄雌一対の面ファスナー３１，３２が互いに噛合し、使用者に対する装着状態が維持される。なお、上述の如く、被装着体３は、何れの面を外側にしても使用者の指Ｃに装着できるが、付加した情報３０を認識し易くするために、情報３０の付加された面を外側に向けた状態で使用者の指Ｃに装着されることが好ましい。従って、被装着体３における使用者の指Ｃに触れることになる面には、雄雌一対の面ファスナー３１，３２のうち、柔軟な肌触りになる雌側の面ファスナー３１，３２が取り付けられることが好ましい。
【００３５】
そして、上述の如く、使用者の指Ｃに被装着体３を装着すれば、使用者の視界に被装着体３が入るため、使用者が被装着体３を視認したときに、傘Ａを持参したことを想起させる。これにより、使用者がその場から退場するに当り、傘Ａの置き場所に向かうことを意識することになる。
【００３６】
そして、傘Ａの置き場に向かった使用者は、防止具本体２を目安に自己の傘Ａを探し出すことになる。すなわち、図７に示す如く、ハンドルＨは、中棒Ｓ（図１参照）と異なり、傘Ａを畳んだ状態でも常時露出する部位であるため、ハンドルＨに防止具本体２が取り付けられることで、使用者は防止具本体２（情報２０）を認識して自己の傘Ａを探し出すことになる。仮に、多数の傘Ａが置かれ、それぞれに防止具１が装着されていたとしても、各傘Ａの防止具１における防止具本体２と被装着体３とは関連した情報２０，３０が付与されているため、防止具本体２と被装着体３との情報２０，３０の関連性から自己の傘Ａであるか否かを確認して自己の傘Ａを探し出すことができる。
【００３７】
そして、その場から退場するときに、被装着体３が身体の一部（指）Ｃから取り外され、自己の傘ＡのハンドルＨに取り付けられた防止具本体２に取り付けられる。このとき、防止具１をハンドルＨに取り付けるときと同様に、被装着体３は、防止具本体２の外周（鍔部２２，２２の外周）と同色又は同系色にされた他方の面を外側に向けて、装着部２１の外周に巻き付けられる。このときも、雄雌一対の面ファスナー３１，３２同士の噛合によって被装着体３が防止具本体２の周囲に取り付けられ、装着部２１の情報２０と自身の情報２０，３０とを覆い隠した状態にする。また、鍔の外周面と被装着体３の他方の面（同色又は同系色の面）が同方向に向く（外側に向く）結果、防止具１全体の外周が同色又は同系色で統一されることになる。従って、被装着体３を防止具本体２に対して着脱しても、体裁のよい状態で取り付けられることになる。
【００３８】
以上のように、本実施形態に係る防止具１は、傘Ａの置き忘れを防止でき、しかも、多数の傘Ａが置かれる場所であっても自己の傘Ａを容易且つ迅速に発見することができるという優れた効果を奏し得る。
【００３９】
また、本実施形態に係る防止具１において、防止具本体２がハンドルＨの外周を包囲可能な環状の装着部２１であって、内周がハンドルＨの外周に圧接可能に形成された装着部２１を備えるため、防止具本体２をハンドルＨに対して所望する定位置に固定でき、傘Ａを持ち運ぶときや使用するときに、防止具本体２が使用者の把持位置に位置ずれしてしまうことを防止できる。
【００４０】
また、被装着体３は、装着部２１の外周に巻き付け可能で、使用者の指Ｃにも巻き付け可能な帯状体であるため、防止具本体２に対する取り付けや使用者への装着が簡単である。そして、装着部２１の外周及び被装着体３の一方の面に情報２０，３０が付与されているため、使用者が情報２０を容易に確認できる。すなわち、装着部２１の外周面及び被装着体３の一方の面は、使用者の視界に入り易い領域であるため、これらに情報２０，３０が付与されることで、使用者が情報２０，３０を容易且つ確実に認識できる。
【００４１】
そして、本実施形態に係る防止具本体２は、周方向に伸縮可能で且つ径方向に変形可能に形成されているため、傘ＡのハンドルＨに装着するときに、防止具本体２がハンドルＨの外周形状に即して変形し、また、防止具本体２がハンドルＨの外周を包囲した状態で自身の伸縮力でハンドルＨを締め付ける。従って、種々のサイズや形状のハンドルＨに対して防止具本体２を容易に取り付けることができる。
【００４２】
そして、防止具本体２は、装着部２１の軸心方向に被装着体３の幅寸法に対応した間隔をあけて配置された一対の鍔部２２，２２であって、それぞれが装着部２１の外周面から装着部２１の径方向外方に突出した一対の鍔部２２，２２を備えているため、帯状体である被装着体３を装着部２１の周囲に巻き付けるときに、一対の鍔部２２，２２によって被装着体３の位置ずれ（移動）が規制される。従って、被装着体３を体裁よく防止具本体２に取り付けることができる。
【００４３】
また、被装着体３は、両面のうちの何れか一方の面に雄雌一対の面ファスナー３１，３２のうちの何れか一方を有するとともに、両面のうちの何れか他方の面における少なくとも長手方向の一端部に、雄雌一対の面ファスナー３１，３２のうちの何れか他方を有するため、簡単な作業で、被装着体３を防止具本体２や使用者の身体の一部Ｃに巻き付けた状態で維持させることができる。
【００４４】
さらに、被装着体３は、一方の面を防止具本体２の装着部２１の外周面に向けた状態で装着部２１に巻き付け可能に構成され、該被装着体３の他方の面は、防止具本体２の色と同色又は同系色に着色されているため、防止具本体２及び被装着体３のそれぞれの情報２０，３０が、被装着体３に覆い隠さ、被装着体３と防止具本体２との色目の違いが分かりづらくなる。従って、常に外部に露呈するハンドルＨに対して取り付けられても、体裁のよい状態となる。なお、この場合において、防止具本体２はハンドルＨと同色又は同系色に設定されてもよい。このようにすれば、傘ＡのハンドルＨと傘Ａの置き忘れ防止具１全体が一体的に形態になり、より体裁のよいものになる。
【００４５】
そして、防止具本体２及び被装着体３の情報２０，３０は、色、文字、及び記号の組み合わせで構成されているため、情報２０，３０（色、文字、記号、或いはこれらの組み合わせ）のパターンが多く、多数の傘Ａが一箇所に置かれても、各傘Ａに取り付けられた傘Ａの置き忘れ防止具１（防止具本体２）の情報２０，３０が重複する可能性が格段に低くなり、他人の傘Ａを自己の傘Ａとして取り違えてしまう可能性を低くできる。
【００４６】
なお、本発明は、上記実施形態に限定されるものではなく、本発明の要旨を逸脱しない範囲で、適宜変更を加え得ることは勿論のことである。
【００４７】
上記実施形態において、被装着体３が使用者の指Ｃに巻き付け可能な帯状体で構成されたが、これに限定されない。例えば、被装着体３は、使用者の視界に入る自身の身体の一部に取り付け可能であればよい。すなわち、被装着体３は、帯状のものに限定されず、例えば、紐状のものであってもよいし、指輪やネックレスのような装飾体であってもよい。なお、この場合においても、被装着体３には、防止具本体２に付与された情報２０と関連する情報３０を付与可能な領域が確保されることは言うまでもない。
【００４８】
上記実施形態において、Ｕ字状のハンドルＨを備えた傘Ａを対象としたが、これに限定されるものではない。例えば、傘ＡのハンドルＨが、一方向に長い棒状に形成されたものや、一方向に短い円柱状に形成されたものであってもよい。また、傘ＡのハンドルＨは、断面円形状（外周形状が円形）のものに限定されない。例えば、図９Ａに示す如く、ハンドルＨは、断面四角形状のものであってもよい。上記実施形態に係る防止具本体２は、周方向に伸縮可能で径方向に変形可能であるため、図９Ｂに示す如く、径方向外方に引っ張って四角形状に変形させることで、ハンドルＨの外周に沿った状態になる。この場合においても、防止具本体２は、自己の復元力（収縮力）でハンドルＨを締め付けた状態になる。従って、上記実施形態に係る防止具本体２は、傘ＡのハンドルＨの形態に応じて取り付けることができる。
【００４９】
上記実施形態において、防止具本体２の装着部２１を円筒状に形成されたが、例えば、図１０に示す如く、装着部２１の外周の一部に凸部２３を凸設するとともに、被装着体３の何れか一方の端部に対して凸部２３を挿入可能な孔３３を貫設してもよい。このようにすれば、被装着体３を装着部２１に巻き付けるときに、被装着体３の孔３３に凸部２３を嵌め込むことで、防止具本体２に対して被装着体３を位置決めできる。これにより、被装着体３を防止具本体２（装着部２１）の外周に円滑に巻き付けることができる。
【００５０】
上記実施形態において、防止具本体１（装着部２１）が無端環状に形成されたが、これに限定されるものではない。例えば、図１１に示す如く、防止具本体１は、装着部２１の周方向の一箇所で分断され、該分断によって形成された一対の分断面２４，２４が接離可能となるように径方向に変形可能に形成されてもよい。このようにすれば、防止具本体２をハンドルＨに取り付けるときに、防止具本体１（装着部２１）を径方向に変形させることで、一対の分断面２４，２４を離間させ、分断面２４，２４間にハンドルＨを通過させることができる。そして、分断面２４，２４間をハンドルＨが通過すると防止具本体２（装着部２１）が復元するため、装着部２１をハンドルＨの外周に圧接させた状態で容易に取り付けることができる。
【００５１】
さらに言えば、防止具本体２は、図１２（図１２Ａ及び図１２Ｂ）に示す如く、装着部２１の周方向に分割された少なくとも２つの分割体２５ａ，２５ａと、隣り合う分割体２５ａ，２５ｂ同士を連結する連結部材２６とを備えてもよい。このようにすれば、少なくとも２つの分割体２５ａ，２５ｂがハンドルＨの周囲に配置された状態で連結部材２６によって連結されることで、これらがハンドルＨに強固に固定された防止具本体２になる。従って、傘Ａを持ち運ぶときや使用するときに、防止具本体２が不用意に移動することを防止できる。なお、図１１及び図１２に示す態様を採用する場合、装着部２１の内周は、取り付けの対象となるハンドルＨの外周形状に即した形状にする必要がある。そのため、傘Ａの種類に応じて複数種類の防止具１を製造する必要があることから、防止具１の生産性や製造コスト等を考慮すれば、上記実施形態と同様の構成を採用することが好ましいこと言うまでもない。
【００５２】
上記実施形態において、防止具本体２が一対の鍔部２２，２２を備えたが、これに限定されない。例えば、環状（筒状）の装着部２１のみで防止具本体２を構成してもよい。但し、上記実施形態のように、被装着体３を体裁よく防止具本体２に取り付けるには、一対の鍔部２２，２２を設けることが好ましいことは言うまでもない。
【００５３】
上記実施形態において、被装着体３は、両面のそれぞれの全面に対して面ファスナー３１，３２を有したが、これに限定されない。例えば、被装着体３は、一方の面の全面に雄雌一対の面ファスナー３１，３２のうちの何れか一方を有し、他方の面における長手方向の何れか一方の端部に雄雌一対の面ファスナー３１，３２のうちの何れか他方を有してもよい。このようにしても、被装着体３を防止具本体２或いは使用者の指Ｃに巻き付けたときに、一方の面の何れかの部位に他方の面の端部に取り付けられた面ファスナー３１，３２が重なるため、上記実施形態と同様の取り付け態様にすることができる。
【００５４】
上記実施形態において、被装着体３は、一方の面に雄雌一対の面ファスナー３１，３２のうちの何れか一方を有するとともに、他方の面に雄雌一対の面ファスナー３１，３２のうちの何れか他方を有し、雄雌一対の面ファスナー３１，３２同士の噛合で、被装着体３を巻き付けた状態で維持させるようにしたが、これに限定されない。例えば、被装着体３が帯状に形成されることを前提に、被装着体３は、何れか一方の面の長手方向の一端部に雄雌一対のホックボタンのうちの何れか一方が取り付けられ、何れか他方の面に雄雌一対のホックボタンのうちの何れか他方が取り付けられたものであってもよい。なお、この場合、防止具本体２（装着部２１）の外径と、使用者の指Ｃの外径とが相違することから、防止具本体２（装着部２１）に対する被装着体３の巻き終わり位置と、使用者の指Ｃに対する被装着体３の巻き終わり位置とが異なるため、被装着体３の他方の面の複数箇所に他方のホックボタンを設けることが好ましい。
【００５５】
上記実施形態において、被装着体３の他方の面が防止具本体２の外面（鍔部２２の外周）と同色又は同系色にされたが、これに限定されない。すなわち、被装着体３は、両面のそれぞれが防止具本体２（鍔部２２，２２）の外周に対して異色であってもよい。
【００５６】
上記実施形態において、装着部２１の外周及び被装着体３の一方の面に付加された情報２０，３０が、色、文字、及び記号の組み合わせで構成されたが、これに限定されない。例えば、防止具本体２（装着部２１）の外周及び被装着体３の一方の面に付加された情報２０，３０は、色、文字、記号の何れかで構成されてもよい。すなわち、防止具本体２及び被装着体３の情報２０，３０は、色、文字、及び記号の少なくとも何れか一つで構成されればよい。このようにしても、情報２０，３０のパターンが多くなるため、多数の傘Ａが一箇所に置かれても、各傘Ａに取り付けられた傘Ａの置き忘れ防止具１（防止具本体２）の情報２０，３０が重複する可能性が格段に低くなり、他人の傘Ａを自己の傘Ａとして取り違えてしまう可能性を低くできる。
【００５７】
上記実施形態において、ハンドルＨの外周を包囲可能となるように防止具本体２（装着部２１）が環状に成形されたが、これに限定されない。例えば、防止具本体２は、傘ＡのハンドルＨを挟持可能なクリップ部と、クリップ部に連設された表示部であって、被装着体３の情報３０と関連する情報２０が付与される表示部と、被装着体を保持可能に構成された保持部であって、クリップ部又は表示部の少なくとも何れか一方に連設された保持部とを備えたものであってもよい。但し、使用時の体裁等を考えれば、上記実施形態のようにシンプルな構成が好ましいことは言うまでもない。
【００５８】
また、上記実施形態において、防止具本体２がハンドルＨに取り付け可能な部材として構成されたが、これに限定されない。例えば、防止具本体２が、ハンドルＨに一体的に取り付けられたもの、すなわち、防止具本体２がハンドルＨと一体成形されたものであってもよい。
【符号の説明】
【００５９】
１…防止具（傘の置き忘れ防止具）、２…防止具本体、３…被装着体、２０…情報、３０…情報、２１…装着部、２２…鍔部、２３…凸部、２４…分断面、２５ａ，２５ｂ…分割体、２６…連結部材、３０…情報、３１，３２…面ファスナー、３３…孔、Ａ…傘、Ｃ…使用者の身体の一部（指）、Ｈ…ハンドル、Ｓ…中棒、ＡＨ…傘立て
【図１】
2014039739.tif 000003
【図２】
2014039739.tif 000004
【図３】
2014039739.tif 000005
【図４】
2014039739.tif 000006
【図５】
2014039739.tif 000007
【図６】
2014039739.tif 000008
【図７】
2014039739.tif 000009
【図８】
2014039739.tif 000010
【図９】
2014039739.tif 000011
【図１０】
2014039739.tif 000012
【図１１】
2014039739.tif 000013
【図１２】
2014039739.tif 000014